【手続補正書】
【提出日】平成18年11月29日(2006.11.29)
【手続補正１】
【補正対象書類名】明細書
【補正対象項目名】特許請求の範囲
【補正方法】変更
【補正の内容】
【特許請求の範囲】
【請求項１】  医学的自己治療のために患者が使用するための複数の携帯可能な機器（１０；２０；３０；４０；５０；６０；７１；７２；７３；７４；８０；９０；５０１；６０１）の間でデータ情報を制御する方法であって、医学的自己治療が、第１の作業と、少なくとも第２の作業とを含み、前記複数の携帯可能な機器が、前記第１の作業を行うための第１の機器と、前記第２の作業を行うための第２の機器とを少なくとも備え、前記機器の各々が、情報を記憶するための手段（１２）、情報を送信するための手段（１２）、情報を受信するための手段（１２）、情報を処理するための手段（１２）及び情報を表示するための手段（１１；３２；５０３；６０３）のうちの１つ又は２つ以上の手段を備え、前記方法が、
作動しており通信範囲内にある前記機器（１０；２０；３０；４０；５０；６０；７１；７２；７３；７４；８０；９０；５０１；６０１）の少なくとも２つの中から単一の機器を機能主モジュールとして動的に指定すること、
要求により、前記機器（１０；２０；３０；４０；５０；６０；７１；７２；７３；７４；８０；９０；５０１；６０１）の間で、前記機能主モジュールによって制御されている企図されたデータ通信を開始すること、
少なくとも１つの機器（１０；２０；３０；４０；５０；６０；７１；７２；７３；７４；８０；９０；５０１；６０１）において生成された関連する情報を前記機能主モジュールにおいて受信し記憶することを含むことを特徴とする、医学的自己治療のために患者が使用するための複数の携帯可能な機器の間でデータ情報を制御する方法。
【請求項２】  前記機器の間の相互データ通信の制御及び監視に関し最も優先順位を有しているプログラム情報が前記機能主モジュールにおいて記憶されている又は作動していることを特徴とする、請求項１に記載の方法。
【請求項３】  前記方法は、その時点で指定されている主モジュールが利用不能となると、新しい機能主モジュールを指定することをさらに含むことを特徴とする、請求項１又は請求項２に記載の方法。
【請求項４】  前記データ通信がデータポーリングとして行われることを特徴とする、請求項１〜請求項３の何れか一項に記載の方法。
【請求項５】  最も高い優先順位を有した前記プログラム情報は、前記患者が最も頻繁に携帯する機器において記憶されている又は作動していることを特徴とする、請求項２〜請求項４の何れか一項に記載の方法。
【請求項６】  前記手段が、共通の組の予め定められた測定表示及び情報表示を取り扱うように予め調整されていることを特徴とする、請求項１〜請求項５の何れか一項に記載の方法。
【請求項７】  前記共通の組の測定表示及び情報表示のうちの１つ又は２つ以上の表示が前記機器に記憶され、前記機能主モジュールが範囲内にあり通信準備ができているときに、最も高い優先順位のプログラム情報を備えている前記機能主モジュールに通信されることを特徴とする、請求項６に記載の方法。
【請求項８】  前記共通の組の測定表示及び情報表示が、
薬物の量、薬物のタイプ、体液濃度、タイムスタンプ、食事量、身体活動の測定値、通知、在庫管理、身体特徴の表示のうちの１つ又は２つ以上の表示として記憶されることを特徴とする、請求項６又は請求項７に記載の方法。
【請求項９】  前記共通の組の測定表示及び情報表示が、
インスリン、成長ホルモン、ＯＨＡ、ＨＲＴのうちの１つ又は２つ以上の薬物に関連することを特徴とする、請求項６〜請求項８の何れか一項に記載の方法。
【請求項１０】  全体の主モジュールが、情報の記憶、外部ユニット又はシステムとの間の情報の送信、受信、及び情報の表示のうちの１つ又は２つ以上を制御することを特徴とする、請求項１〜請求項９の何れか一項に記載の方法。
【請求項１１】  前記外部ユニット又はシステムがコンピュータであることを特徴とする、請求項１０に記載の方法。
【請求項１２】  前記外部ユニット又はシステムがデータベースであることを特徴する、請求項１０に記載の方法。
【請求項１３】  医学的自己治療のために患者が使用するための複数の携帯可能な機器（１０；２０；３０；４０；５０；６０；７１；７２；７３；７４；８０；９０；５０１；６０１）を含む医療システムであって、医学的自己治療が、第１の作業と、少なくとも第２の作業とを含み、前記システムが、前記第１の作業を行うための第１の機器（１０；２０；３０；４０；５０；６０；７１；７２；７３；７４；８０；９０；５０１；６０１）と、前記第２の作業を行うための第２の機器（１０；２０；３０；４０；５０；６０；７１；７２；７３；７４；８０；９０；５０１；６０１）とを含み、前記機器の各々（１０；２０；３０；４０；５０；６０；７１；７２；７３；７４；８０；９０；５０１；６０１）が、情報を記憶するための手段（１２）、情報を処理するための手段（１２）及び情報を表示するための手段（１１；３２；５０３；６０３）のうちの１つ又は２つ以上の手段を備え、各機器が自己治療に属する存在し又は作動している他の機器（１０；２０；３０；４０；５０；６０；７１；７２；７３；７４；８０；９０；５０１；６０１）の何れかとデータを交換できるように、情報を送信する手段及び情報を受信する手段をさらに備え、
前記機器の少なくとも２つが潜在的機能主モジュールであること、
前記潜在的機能主モジュールの１つが機能主モジュールとして動的に指定されること、
前記機能主モジュールが、要求により開始された企図されるデータ通信を前記機器（１０；２０；３０；４０；５０；６０；７１；７２；７３；７４；８０；９０；５０１；６０１）の間で制御し、前記機器（１０；２０；３０；４０；５０；６０；７１；７２；７３；７４；８０；９０；５０１；６０１）の少なくとも１つにおいて生成された関連する情報を受信し、記憶するように構成されていることを特徴とする、医学的自己治療のために患者が使用するための複数の携帯可能な機器を含む医療システム。
【請求項１４】  前記機能主モジュールが、前記機器の間の相互データ通信の制御及び監視に関し最も高い優先順位を有したプログラム情報を備えていることを特徴とする、請求項１３に記載の医療システム。
【請求項１５】  その時点で指定されている機能主モジュールが利用不能になると、前記潜在的機能主モジュールの１つが新しい機能主モジュールとして指定されることを特徴とする、請求項１３又は請求項１４に記載の医療システム。
【請求項１６】  前記機能主モジュールが、他の機器から送信された情報を記憶するための手段、該情報を送信するための手段、該情報を受信するための手段及び該情報を表示するための手段のうちの１つ又は２つ以上の手段を備えていることを特徴とする、請求項１３〜請求項１５の何れか一項に記載の医療システム。
【請求項１７】  前記手段が、共通の組の予め定められた測定表示及び情報表示を取り扱うように予め調整されていることを特徴とする、請求項１３〜請求項１６の何れか一項に記載の医療システム。
【請求項１８】  前記機器は、最も高い優先順位のプログラム情報を備えている機器が通信範囲外にある又は利用不能であるときに、前記共通の組の測定表示及び情報表示のうちの単数又は複数の表示を記憶するための記憶手段を備えることを特徴とする、請求項１７に記載の医療システム。
【請求項１９】  前記共通の組の測定表示及び情報表示が、
薬物の量、薬物のタイプ、体液濃度、タイムスタンプ、食事量、身体活動の測定値、通知、在庫管理、身体特徴の表示のうちの１つ又は２つ以上の表示を含むことを特徴とする、請求項１７又は請求項１８に記載の医療システム。
【請求項２０】  前記共通の組の測定表示及び情報表示が、
インスリン、成長ホルモン、ＯＨＡ、ＨＲＴのうちの１つ又は２つ以上の薬物に関連することを特徴とする、請求項１７〜請求項１９の何れか一項に記載の医療システム。
【請求項２１】  全体の主モジュールが、情報を記憶するための手段、外部ユニット又はシステムとの間で情報の送信及び受信の一方又は両方をするための手段、及び情報を表示するための手段のうちの１つ又は２つ以上の手段を備えることを特徴とする、請求項１３〜請求項２０の何れか一項に記載の医療システム。
【請求項２２】  前記外部ユニットがコンピュータであることを特徴とする、請求項２１に記載の医療システム。
【請求項２３】  前記外部ユニットがデータベースであることを特徴する、請求項２１に記載の医療システム。
【請求項２４】  前記機器が、ランセット装置、体液分析装置、予め定められた量の薬物を患者に投与するための薬物投与システム、身体特徴を獲得するためのセンサからなる群から選択されることを特徴とする、請求項１３〜請求項２３の何れか一項に記載の医療システム。
【請求項２５】  前記体液濃度が血糖濃度であることを特徴とする、請求項１９又は請求項２４に記載の医療システム。
【請求項２６】  前記体液分析装置が血糖モニタであることを特徴とする、請求項２４又は請求項２５に記載の医療システム。
【請求項２７】  前記体液分析装置が脂質モニタであることを特徴とする、請求項２４に記載の医療システム。
【請求項２８】  前記身体特徴が体重及び血圧のうちの一方又は両方であることを特徴とする、請求項１９〜請求項２７の何れか一項に記載の医療システム。
【請求項２９】  前記薬物投与システムが、インスリン注射装置、吸入器及び錠剤施与器からなる群から選択されることを特徴とする、請求項２４に記載の医療システム。
【請求項３０】  前記機器が、前記体液分析装置又は血糖モニタのためのランセットの補給品、前記体液分析装置又は血糖モニタのための試験ストリップの補給品、インスリンの余分な補給品、針の補給品のうちの単数又は複数の補給品を収納するための単数又は複数の収納容器を有していることを特徴とする、請求項２４〜請求項２９の何れか一項に記載の医療システム。
【請求項３１】  前記血糖モニタが、血糖値及びタイムスタンプの一方又は両方のために、記憶手段、送信手段及び表示手段のうちの１つ又は２つ以上の手段を備えていることを特徴とする、請求項２６に記載の医療システム。
【請求項３２】  前記インスリン注射装置が、薬物のユニット数、薬物のタイプ及びタイムスタンプの一方又は両方のために、記憶手段、送信手段、受信手段及び表示手段のうちの１つ又は２つ以上の手段を備えていることを特徴とする、請求項２９に記載の医療システム。
【請求項３３】  前記単数又は複数の収納容器が、在庫管理のために、記憶手段、送信手段、受信手段及び表示手段のうちの１つ又は２つ以上の手段を備えていることを特徴とする、請求項３０に記載の医療システム。
【請求項３４】  前記システムが予め定められた状況に対して患者に選択肢を提示するための手段を備えており、前記提示が前記患者の前の選択に依存していることを特徴とする請求項１３〜請求項３３の何れか一項に記載の医療システム。
【手続補正２】
【補正対象書類名】明細書
【補正対象項目名】００８７
【補正方法】変更
【補正の内容】
【００８７】
主ユニット７４が標準通信リンクを介して中央サーバ７６に接続されると、治療データが患者の電子医療記録へ送信される。これにより、中央サーバ上のエキスパートシステムは必要であれば治療チームに通知することが可能となる。治療チームは使用者に情報を返送する又は必要であれば援助を送ることができる。